(57)【特許請求の範囲】
【請求項１】
ＭＰＥＧ４規格に基づく動画像コンテンツを配信できると共にＭＰＥＧ４規格に基づく動画像コンテンツを受信できる機能を備えた固定局と、
前記ＭＰＥＧ４規格に基づく動画像コンテンツを移動しながら受信できると共にＭＰＥＧ４規格に基づく動画像コンテンツを移動しながら送信できる機能を備えた携帯電話機とからなり、
前記携帯電話機は、
前記固定局から配信されている前記ＭＰＥＧ４規格に基づく動画像コンテンツを受信したときに、該受信した動画像コンテンツをデコードしてコンテンツデータとし、前記動画像コンテンツを受信したときの受信位置を地図上にマップし、
該マップした受信位置に前記コンテンツデータの品質評価データをマッピングするようにして受信した動画像コンテンツの品質評価を行うようにし、
前記固定局は、前記携帯電話機から送信されている前記ＭＰＥＧ４規格に基づく動画像コンテンツを受信したときに、該受信した動画像コンテンツをデコードしてコンテンツデータとし、該コンテンツデータを品質評価し、該品質評価したデータを適宜前記携帯電話機に伝送するようにしたことを特徴とする画像品質評価方法。
【請求項２】
前記動画像コンテンツを受信したときの受信位置は、ＧＰＳにより得られた位置情報から算出したものである請求項１に記載の画像品質評価方法。
【請求項３】
前記配信されているＭＰＥＧ４規格に基づく動画像コンテンツの受信は、所定のルートに従って連続して行うようにしたことを特徴とする請求項１に記載の画像品質評価方法。
【請求項４】
前記コンテンツデータの品質評価をするものは、画像の伝送フレームレート、受信パケット／フレーム、ロストパケット／フレーム数、遅延パケット／フレーム数、再バッファリング数、伝送帯域（スループット）、パディングパケット数であることを特徴とする請求項１に記載の画像品質評価方法。
【請求項５】
前記品質評価データのマッピングは、色分けにて表示及び又はグラフにて表示することを特徴とする請求項１に記載の画像品質評価方法。
【請求項６】
ＭＰＥＧ４規格に基づく動画像コンテンツを配信できると共にＭＰＥＧ４規格に基づく動画像コンテンツを受信できる機能を備えた固定局と、前記ＭＰＥＧ４規格に基づく動画像コンテンツを移動しながら受信できると共にＭＰＥＧ４規格に基づく動画像コンテンツを移動しながら送信できる機能を備えた携帯電話機とからなり、
前記携帯電話機は、前記固定局から配信されている前記ＭＰＥＧ４規格に基づく動画像コンテンツを受信したときに、該受信した動画像コンテンツをデコードしてコンテンツデータとするデコーダと、前記動画像コンテンツを受信したときの受信位置を地図上にマップするマップ手段と、該マップした受信位置に前記コンテンツデータの品質評価データをマッピングする品質評価表示手段とを備え、
前記固定局は、前記携帯電話機から送信されている前記ＭＰＥＧ４規格に基づく動画像コンテンツを受信したときに、該受信した動画像コンテンツをデコードしてコンテンツデータとし、該コンテンツデータを品質評価し、該品質評価したデータを適宜前記携帯電話機に伝送するようにしたことを特徴とする画像品質評価システム。
【請求項７】
前記動画像コンテンツを受信したときの受信位置は、ＧＰＳにより得られた位置情報から算出したものである請求項６に記載の画像品質評価システム。
【請求項８】
前記配信されているＭＰＥＧ４規格に基づく動画像コンテンツの受信は、所定のルートに従って連続して行うことを特徴とする請求項６に記載の画像品質評価システム。
【請求項９】
前記コンテンツデータの品質評価をするものは、画像の伝送フレームレート、受信パケット／フレーム、ロストパケット／フレーム数、遅延パケット／フレーム数、再バッファリング数、伝送帯域（スループット）、パディングパケット数であることを特徴とする請求項６に記載の画像品質評価システム。
【請求項１０】
ＭＰＥＧ４規格に基づく動画像コンテンツを送受信できる機能を備えた固定局からのＭＰＥＧ４規格に基づく動画像コンテンツを移動しながら受信できると共に所定のＭＰＥＧ４規格に基づく動画像コンテンツを移動しながら送信できる機能を備えた携帯電話機であって、
前記携帯電話機は、前記固定局から送信されている前記ＭＰＥＧ４規格に基づく動画像コンテンツを受信したときに、該受信した動画像コンテンツをデコードしてコンテンツデータとするデコーダと、前記動画像コンテンツを受信したときの受信位置を地図上にマップするマップ手段と、該マップした受信位置に前記コンテンツデータの品質評価データをマッピングする品質評価表示手段とを備え、
前記固定局は、前記移動局から送信されている前記ＭＰＥＧ４規格に基づく動画像コンテンツを受信したときに、該受信した動画像コンテンツをデコードしてコンテンツデータとし、該コンテンツデータの品質評価を行い、該品質評価を行ったデータを前記携帯電話機に送信するようにしたことを特徴とする画像品質評価装置。
【請求項１１】
前記動画像コンテンツを受信したときの受信位置は、ＧＰＳにより得られた位置情報から算出したものである請求項１０に記載の画像品質評価装置。
【請求項１２】
前記配信されているＭＰＥＧ４規格に動画像コンテンツの受信は、所定のルートに従って連続して行うことを特徴とする請求項１０に記載の画像品質評価装置。
【請求項１３】
前記コンテンツデータの品質評価をするものは、画像の伝送フレームレート、受信パケット／フレーム、ロストパケット／フレーム数、遅延パケット／フレーム数、再バッファリング数、伝送帯域（スループット）、パディングパケット数であることを特徴とする請求項１０に記載の画像品質評価装置。
【発明の詳細な説明】
【０００１】
【発明の属する技術分野】
本発明は、画像品質評価方法及び画像品質評価システム、画像品質評価装置に関するものであり、詳しくは、ＭＰＥＧ４の規格に基づいて配信されて画像データの品質を移動体にて移動させながら連続して受信し、その受信データ等から画像の品質評価をする画像品質評価方法及び画像品質評価システム、画像品質評価装置に関するものである。
【０００２】
【従来の技術】
従来技術において、配信されている画像コンテンツの品質を評価する手法として、特定の位置に測定器を備え、携帯電話機等の受信機で配信されている画像コンテンツを受信して、受信した画像を解析することが一般的な品質評価手法である。
【０００３】
【発明が解決しようとする課題】
しかしながら、従来技術で説明した測定手法であると、特定の位置における画像品質評価しかできず、現代の携帯電話機等の移動局のように、その行動範囲を不特定とする移動局に対する正確な画像品質評価ができないという問題がある。
【０００４】
従って、ＭＰＥＧ規格に基づく画像コンテンツを送受信できる携帯電話機等の移動体が存在する位置において、特に移動するさまざまな地域において送受信する画像コンテンツの品質評価ができる測定手法及びそのシステムに解決しなければならない課題を有する。
【０００５】
【課題を解決するための手段】
上記課題を解決するために、本発明に係る画像品質評価方法及び画像品質評価システムは、次に示す構成にすることである。
【０００６】
（１）  ＭＰＥＧ４規格に基づく動画像コンテンツを配信できると共にＭＰＥＧ４規格に基づく動画像コンテンツを受信できる機能を備えた固定局と、
前記ＭＰＥＧ４規格に基づく動画像コンテンツを移動しながら受信できると共にＭＰＥＧ４規格に基づく動画像コンテンツを移動しながら送信できる機能を備えた携帯電話機とからなり、
前記携帯電話機は、
前記固定局から配信されている前記ＭＰＥＧ４規格に基づく動画像コンテンツを受信したときに、該受信した動画像コンテンツをデコードしてコンテンツデータとし、前記動画像コンテンツを受信したときの受信位置を地図上にマップし、
該マップした受信位置に前記コンテンツデータの品質評価データをマッピングするようにして受信した動画像コンテンツの品質評価を行うようにし、
前記固定局は、前記携帯電話機から送信されている前記ＭＰＥＧ４規格に基づく動画像コンテンツを受信したときに、該受信した動画像コンテンツをデコードしてコンテンツデータとし、該コンテンツデータを品質評価し、該品質評価したデータを適宜前記携帯電話機に伝送するようにしたことを特徴とする画像品質評価方法。
（２）  前記動画像コンテンツを受信したときの受信位置は、ＧＰＳにより得られた位置情報から算出したものである（１）に記載の画像品質評価方法。
（３）  前記配信されているＭＰＥＧ４規格に基づく動画像コンテンツの受信は、所定のルートに従って連続して行うようにしたことを特徴とする（１）に記載の画像品質評価方法。
（４）  前記コンテンツデータの品質評価をするものは、画像の伝送フレームレート、受信パケット／フレーム、ロストパケット／フレーム数、遅延パケット／フレーム数、再バッファリング数、伝送帯域（スループット）、パディングパケット数であることを特徴とする（１）に記載の画像品質評価方法。
（５）  前記品質評価データのマッピングは、色分けにて表示及び又はグラフにて表示することを特徴とする（１）に記載の画像品質評価方法。
【０００７】
（６）  ＭＰＥＧ４規格に基づく動画像コンテンツを配信できると共にＭＰＥＧ４規格に基づく動画像コンテンツを受信できる機能を備えた固定局と、前記ＭＰＥＧ４規格に基づく動画像コンテンツを移動しながら受信できると共にＭＰＥＧ４規格に基づく動画像コンテンツを移動しながら送信できる機能を備えた携帯電話機とからなり、
前記携帯電話機は、前記固定局から配信されている前記ＭＰＥＧ４規格に基づく動画像コンテンツを受信したときに、該受信した動画像コンテンツをデコードしてコンテンツデータとするデコーダと、前記動画像コンテンツを受信したときの受信位置を地図上にマップするマップ手段と、該マップした受信位置に前記コンテンツデータの品質評価データをマッピングする品質評価表示手段とを備え、
前記固定局は、前記携帯電話機から送信されている前記ＭＰＥＧ４規格に基づく動画像コンテンツを受信したときに、該受信した動画像コンテンツをデコードしてコンテンツデータとし、該コンテンツデータを品質評価し、該品質評価したデータを適宜前記携帯電話機に伝送するようにしたことを特徴とする画像品質評価システム。
（７）  前記動画像コンテンツを受信したときの受信位置は、ＧＰＳにより得られた位置情報から算出したものである（６）に記載の画像品質評価システム。
（８）  前記配信されているＭＰＥＧ４規格に基づく動画像コンテンツの受信は、所定のルートに従って連続して行うことを特徴とする（６）に記載の画像品質評価システム。
（９）  前記コンテンツデータの品質評価をするものは、画像の伝送フレームレート、受信パケット／フレーム、ロストパケット／フレーム数、遅延パケット／フレーム数、再バッファリング数、伝送帯域（スループット）、パディングパケット数であることを特徴とする（６）に記載の画像品質評価システム。
【０００８】
（１０）  ＭＰＥＧ４規格に基づく動画像コンテンツを送受信できる機能を備えた固定局からのＭＰＥＧ４規格に基づく動画像コンテンツを移動しながら受信できると共に所定のＭＰＥＧ４規格に基づく動画像コ４ンテンツを移動しながら送信できる機能を備えた携帯電話機であって、
前記携帯電話機は、前記固定局から送信されている前記ＭＰＥＧ４規格に基づく動画像コンテンツを受信したときに、該受信した動画像コンテンツをデコードしてコンテンツデータとするデコーダと、前記動画像コンテンツを受信したときの受信位置を地図上にマップするマップ手段と、該マップした受信位置に前記コンテンツデータの品質評価データをマッピングする品質評価表示手段とを備え、
前記固定局は、前記移動局から送信されている前記ＭＰＥＧ４規格に基づく動画像コンテンツを受信したときに、該受信した動画像コンテンツをデコードしてコンテンツデータとし、該コンテンツデータの品質評価を行い、該品質評価を行ったデータを前記携帯電話機に送信するようにしたことを特徴とする画像品質評価装置。
（１１）  前記動画像コンテンツを受信したときの受信位置は、ＧＰＳにより得られた位置情報から算出したものである（１０）に記載の画像品質評価装置。
（１２）  前記配信されているＭＰＥＧ４規格に動画像コンテンツの受信は、所定のルートに従って連続して行うことを特徴とする（１０）に記載の画像品質評価装置。
（１３）  前記コンテンツデータの品質評価をするものは、画像の伝送フレームレート、受信パケット／フレーム、ロストパケット／フレーム数、遅延パケット／フレーム数、再バッファリング数、伝送帯域（スループット）、パディングパケット数であることを特徴とする（１０）に記載の画像品質評価装置。
【００１０】
（３１）  ＣＡＴＶ及び/又は光ファイバ網におけるコンテンツが配信される無線領域において、ＣＡＴＶ及び/又は光ファイバ網のコンテンツに含まれるＭＰＥＧ規格に基づく画像コンテンツを移動しながら受信できる機能を備えた移動局であって、
前記移動局は、
前記ＭＰＥＧ規格に基づく画像コンテンツを受信したときに、該受信した画像コンテンツをデコードしてコンテンツデータとするデコーダと、
前記画像コンテンツを受信したときの受信位置を地図上にマップするマップ手段と、
該マップした受信位置に前記コンテンツデータの品質評価データをマッピングする品質評価表示手段とを備えたことを特徴とする画像品質評価装置。
（３２）  前記ＭＰＥＧ規格は、ＭＰＥＧ４であり、前記画像コンテンツは動画像コンテンツである（３１）に記載の画像品質評価装置。
（３３）  前記画像コンテンツを受信したときの受信位置は、ＧＰＳにより得られた位置情報から算出したものである（３１）に記載の画像品質評価装置。
（３４）  前記配信されているＭＰＥＧ規格に基づく画像コンテンツの受信は、所定のルートに従って連続して行うことを特徴とする（３１）に記載の画像品質評価装置。
（３５）  前記コンテンツデータの品質評価をするものは、画像の伝送フレームレート、受信パケット／フレーム、ロストパケット／フレーム数、遅延パケット／フレーム数、再バッファリング数、伝送帯域（スループット）、パディングパケット数であることを特徴とする（３１）に記載の画像品質評価装置。
【００１１】
このように、携帯電話機等の移動局が所定地域を移動しながら配信されている画像コンテンツを受信して、その画像品質評価をすること、及び移動局から送信する画像コンテンツを固定局で受信して同じく画像品質評価をすることにより、不特定地域において送受信する画像コンテンツ、特に動画像コンテンツの品質を上下回線の両者で評価することができる。
【００１２】
又、衛星デジタル放送や地上波デジタル放送、又はＣＡＴＶや光ファイバ網により配信されている動画像コンテンツを所定地域を移動しながら受信して、その品質評価を行うようにしたことにより、所望の地域の受信感度状態を移動しながら即座に知り得ることが可能になる。
【００１３】
【発明の実施の形態】
以下、本発明に係る画像品質評価方法及び画像品質評価システムの実施形態について図面を参照して詳細に説明する。
【００１４】
本発明に係る画像品質評価方法及び画像品質評価システムは、動画像のストリーミング配信、オンデマンド配信、ライブ配信等における画像品質の評価を行うもので、その動画像を配信する配信媒体は、例えば、無線回線であれば、モバイル、無線ＬＡＮ、固定無線、衛星放送、デジタル地上波放送等の全てが対象となり、又、有線回線であれば、光ファイバー（ＦＴＴＨ）、ＣＡＴＶ等の光ファイバ網、ＡＤＳＬ、ＩＳＤＮ等のメタル回線網の全てが対象になる。
【００１５】
又、その配信方式は、ＭＰＥＧ−２、ＭＰＥＧ−４、ＭＰＥＧ−７の画像規格の全てが対象になり、評価するための端末は、携帯電話機、ＰＤＡ、パソコン、テレビジョン受像機、カーナビゲーション等の画像が受信できるものの全てが対象になる。
【００１６】
画像品質評価を表示する方式としては、測定地点のデータ及び当該位置のＧＰＳ（位置測位装置）の位置情報をもとに、電子地図に測定品質を色分け表示すると共にデータをグラフ表示する。又、測定ルートの特定点を指定することによりその点の詳細データを表示する。尚、受像動画像は受信端末（移動局）に記録し、後刻再生が可能なようになっている。
【００１７】
測定する動画像配信データにおける品質評価の目安とするものは、Ａ：画像の伝送フレームレート（目標・平均・現在）、Ｂ：受信パケット／フレーム、Ｃ：ロストパケット／フレーム数、Ｄ：遅延パケット／フレーム数（平均・最大・最小）、Ｅ：再バッファリング数、Ｆ：伝送帯域（スループット／目標・平均・現在）、Ｇ：パディングパケット数（音声と映像）、である。
【００１８】
評価テストの実施方法は、上下回線、即ち、固定局と移動局の双方で画像コンテンツを送受信して品質評価できるようになっている。
【００１９】
（１）下り回線の品質評価の場合は、受信端末（移動局）は映像再生ソフトを起動し、配信元（固定局）に動画像コンテンツ又はライブ映像の配信を要求する。そして、受信端末（移動局）は、配信された動画像コンテンツ又はライブ映像を受信・録画すると共に映像再生ソフトウェアで受信データを取得し、記録する。又、当該受信端末に付属したＧＰＳの位置情報を同時に記録する。
【００２０】
（２）上り回線の品質評価の場合は、先ず、受信端末（移動局）は配信元（固定局）へログインし、当該固定局の映像配信ソフトウェアを起動する。映像配信ソフトウェアの起動により受信端末（移動局）は、予め準備されている動画像コンテンツの送信を行う。
配信元（固定局）は、受信端末（移動局）から送信される動画像コンテンツ又はライブ映像を受信し、録画すると共に映像再生ソフトウェアで受信データを取得し、記録する。当該受信データをもって動画像の評価を行い、その評価結果を受信端末（移動局）に返送する。この場合は受信端末（移動局）がサーバーの役目をし、配信元（固定局）が受信端末の役目をする。
【００２１】
次に、品質評価方式について説明する。先ず、（１）無線回線・有線回線を使用しての双方向通信による品質評価のうち（Ａ）下りテストは、予め録画した映像又はライブ映像を有する配信元より配信・放送される動画像を受信・録画すると共に、当該動画像の品質評価に必要なデータを取得し、そのデータ、録画像または双方を持って評価を行う。原画像を持つ場合は、受信した動画像と原画像を画素単位で比較し、評価を行う。
【００２２】
（Ｂ）上りテストは、受信端末（移動局）は予め録画した動画像又はライブ映像を配信元（固定局）に配信し、配信元は受信した動画像を受信・録画すると共に、当該動画像の品質評価に必要なデータを取得し、そのデータをもって評価を行い、評価結果を受信端末／配信元へ通知する。
【００２３】
尚、配信元／受信端末に録画した動画像は、後刻、配信元に無線・有線回線を通じてアクセスし、取り出し、通知した評価結果の再確認を可能にする。又、原画像を持つ場合は、受信した動画像と原画像を画素単位で比較し、評価を行う。
【００２４】
次に、上記特徴を有する画像品質評価システムについて、図面を参照して説明する。
【００２５】
画像品質評価システムは、図１に示すように、所定のＭＰＥＧ規格に基づく画像コンテンツを配信できると共に所定のＭＰＥＧ規格に基づく画像コンテンツを受信できる機能を備えた固定局１１と、動画像コンテンツを提供する配信元であるＡＳＰのコンテンツプロバイダー１２と、ＭＰＥＧ規格に基づく画像コンテンツを移動しながら受信できると共に所定のＭＰＥＧ規格に基づく画像コンテンツを移動しながら送信できる機能を備えた移動局１３と、固定局１１に（ＩＰ）ネットワーク１４を介して接続され、コンテンツを含む携帯電話データを配信することができる携帯電話基地局１５と、携帯電話基地局１５を介して電話をすることができる携帯電話機１６とからなる。ここで、携帯電話網を対象にした動画像品質評価であるが、携帯電話機に限定されることなく、無線で動画像コンテンツを受信する機能を備えた、例えば、ＰＤＡ、カーナビゲーション等の車載受信機、パソコンによる受信機、携帯ＴＶ受信機等が対象になる。
【００２６】
固定局１１は、動画像コンテンツを配信及び受信することができるものであり、有線回線網や無線回線網等のネットワーク１４に接続して所望の動画像コンテンツを移動局１３に送り、又は移動局１３から動画像コンテンツを受信し、その品質評価結果データを移動局１３に送り返す機能を備えている。
【００２７】
このような機能を有する固定局１１の構成は、図２に示すように、動画像コンテンツの送受信の通信を処理する通信処理部１７と、受信した画像コンテンツ（実施例においてＭＰＥＧ４規格に基づく動画像コンテンツ）をデコードしてコンテンツデータとするＭＰＥＧ４・デコーダー部１８と、このＭＰＥＧ４・デコーダー部１８で処理した動画像コンテンツのデータを処理するデータ処理部１９と、動画像コンテンツの品質評価をする品質評価処理部２０とからなる。
【００２８】
ＭＰＥＧ４・デコーダー部１８は、動画像コンテンツを配信する映像配信処理部２１と、受信した動画像コンテンツを再生する映像再生処理部２２と、受信した動画像コンテンツを記録する受信画像記録処理部２３とからなる。
【００２９】
移動局１３は、図３に示すように、自己の位置情報を検出するＧＰＳ２５と、送信用携帯電話機２６、および受信用携帯電話機２７と、これらの携帯電話機２６，２７で送受信した動画像コンテンツの通信を司る通信部２８と、動画像コンテンツをデコードするＭＰＥＧ４・デコーダー部２９と、デコードした動画像コンテンツのデータ処理をするデータ処理部３０と、統計やグラフイック等のグラフ表示するためのデータを作成する統計・グラフイック表示処理部３１と、地図を画面上に表示する電子地図部３２と、電子地図上に品質評価のデータをマッピングするマッピング処理部３３と、動画像コンテンツの品質を評価する品質評価処理部３４とからなる。
尚、上記送受信用携帯電話機２６、２７は、一台の携帯電話機で行うことも可能である。
【００３０】
ＭＰＥＧ４・デコーダー部２９は、動画像コンテンツを配信する映像配信処理部３５と、受信した動画像コンテンツを再生する映像再生処理部３６と、受信した動画像コンテンツを記録する受信画像記録処理部３７とからなる。
【００３１】
このような構成からなる固定局１１及び移動局１３において、先ず、下り回線の測定を行うには、図４に示すように、動画像コンテンツを配信するように、移動局１３が固定局１１に接続要求をし、固定局１１との接続完了したときに、固定局１１は携帯電話基地局１５を介して動画像コンテンツの配信が開始される。固定局１１から画像の配信が行われると、移動局１３はこの配信されてくる動画像コンテンツの品質評価を行うための測定処理フローに入る。
【００３２】
このとき、移動局１３側においては、受信用携帯電話機２７でこの配信されている動画像コンテンツが受信できるようになっていると共に、予め設定されているルート、或いは無造作に選んだルートを移動できるようにしておく必要がある。
【００３３】
図５は、移動局における測定処理フローを示したものであり、  先ず、移動している自己の位置情報であるＧＰＳデータを受信して、自己の位置情報を取得する（ステップＳＴ１１）。
【００３４】
次に、下りデータの測定、即ち、固定局１１から配信されている動画像コンテンツを受信用携帯電話機２７で受信する。そして、自己の位置情報と、受信用携帯電話機２７で受信した動画像コンテンツをＭＰＥＧ４・デコーダー部２９に送り、品質評価や統計・グラフイック、電子地図へのマッピング等を行い、動画像コンテンツの測定項目の全てをファイルに保存すると共に、受信した動画像コンテンツを受信画像記録処理部３７（図３参照）に記録する（ステップＳＴ１２）。
【００３５】
次に、上りデータの測定を行うか否かを判断し、下りデータの測定であれば、上記の下りデータの測定を続行する（ステップＳＴ１３）。
【００３６】
ステップＳＴ１３において、上りデータの測定である場合には、移動局１３側から固定局１１に対して、上りデータの測定をするために、移動局１３からの動画像コンテンツを受信できるように要求する。そして、この要求が受入れられると、移動局１３側の送信用携帯電話機２６を使用して動画像コンテンツを送信する。この送信された動画像コンテンツは携帯電話基地局１５で受信され、ネットワーク１４を介して固定局１１に送られる。
実際には、▲１▼移動局１３は固定局１１にログインして当該固定局１１の映像配信ソフトウェアを起動し、移動局１３に動画像の送信を要求する。▲２▼これを受けて、移動局１３は動画像を固定局１１に向けて送信する。▲３▼固定局１１は動画像のコンテンツを受信し、デコードしてコンテンツデータを取得すると共に当該動画像を記録する。▲４▼固定局１１はデコードしたコンテンツデータをもって画像品質評価を行い、その評価結果とデコードしたコンテンツデータとを移動局１３に返送する。▲５▼移動局１３は評価結果をＧＰＳデータをもとに地図上にマッピングする。尚、地図上に位置を指定することにより返送されたコンテンツデータを画面の一部にする。固定局１１と移動局１３のＧＰＳデータは固定局１１から返送されるデータに付加された時刻を参照して評価地点にずれがないよう一致を図る。ここで、固定局に記録した動画像は必要に応じて有線、無線回線を使用して取り出すことができる。
【００３７】
固定局１１側においては、移動局１３側からの動画像コンテンツを受信して品質評価を行い、その品質評価データを移動局１３に返送する。そして、測定項目の全てをファイルにして保存すると共に、受信した画像も保存する（ステップＳＴ１４）。
【００３８】
次に、固定局１１側で得られた測定結果を移動局１３にダウンロードする。移動局１３側では、この固定局１１で得られた測定結果と自己の位置情報とを加えてファイルに保存することにより上りデータの測定が完了する（ステップＳＴ１５）。
【００３９】
このようにして、移動局１３は、所定のルート、或いは無造作に決められたルートを移動しながら、固定局１１から配信している動画像コンテンツを受信しては、その品質評価をし、同時に移動局１３から動画像コンテンツを送信して固定局１１で同じように受信してその品質評価をすること、即ち、下り回線及び上り回線の双方向の動画像コンテンツの品質評価をすることができるのである。しかも、ルートは無造作に決めてもＧＰＳ２５による自己位置情報があるから、どの地点でどのような画像品質であるかを双方向で客観的に知ることができるのである。
【００４０】
又、上り回線及び下り回線のデータ測定における品質評価したデータ等は全て移動局１３側で処理するようにしたことにより、上下回線の品質評価が極めて円滑且つ迅速に行えることになる。
【００４１】
そして、この双方向の動画像コンテンツの品質評価は、携帯電話機の電話網を用いて行っているため、実際の携帯電話機において、どの地域の感度が良好で、どの地域の感度が良くないかが画面上で一目瞭然に解る。
【００４２】
次に、衛星デジタル放送を対象にした動画像コンテンツの品質評価について、図面を参照して説明する。
【００４３】
衛星デジタル放送を対象にした画像品質評価システムは、図６に示すように、コンテンツ提供者の有料及び無料のコンテンツを所定チャンネルでアップリンクする委託放送事業者４１と、衛星４２を用いて衛星通信を行う受託放送事業者４３と、委託放送事業者４１とネットワーク１４を介して接続されている固定局１１と、所定の動画像コンテンツを提供することができるコンテンツプロバイダー１２と、衛星４２から配信されているコンテンツを受信して、その動画像コンテンツの品質評価をする不特定地域を移動することできる移動局１３Ａとからなる。
【００４４】
固定局１１は、上記図２を用いて説明した構成と同じであるため、その説明は省略するが、要は動画像コンテンツを配信することができるものであり、ネットワーク１４に接続して所望の動画像コンテンツを委託放送事業者４１に送ることにより、衛星４２を介して動画像コンテンツを移動局１３Ａ側で受信できる。
尚、固定局１１から特定の動画像コンテンツを供給しなくとも、現に委託放送事業者４１から配給されている動画像コンテンツを移動局１３Ａ側で受信するようにしてもよいことは勿論のことである。
【００４５】
移動局１３Ａは、図７に示すように、自己の位置情報を検出するＧＰＳ２５と、衛星デジタル放送を受信することができるＴＶアンテナ４４及びＴＶ受信機４５と、このＴＶ受信機４５で受信した動画像コンテンツの通信を司る通信部２８と、動画像コンテンツをデコードするＭＰＥＧ４・デコーダー部２９と、デコードした動画像コンテンツのデータ処理をするデータ処理部３０と、統計やグラフイック等のグラフ表示するためのデータを作成する統計・グラフイック表示処理部３１と、地図を画面上に表示する電子地図部３２と、電子地図上に品質評価のデータをマッピングするマッピング処理部３３と、動画像コンテンツの品質を評価する品質評価処理部３４とからなる。
【００４６】
ＭＰＥＧ４・デコーダー部２９は、動画像コンテンツを配信する映像配信処理部３５と、受信した動画像コンテンツを再生する映像再生処理部３６と、受信した動画像コンテンツを記録する受信画像記録処理部３７とからなる。
【００４７】
このような構成において、先ず、移動局１３Ａ側は、移動しながら動画像コンテンツを受信して品質評価を開始することをネットワーク１４を介して固定局１１に知らせると、固定局１１側からチャンネルの特定や、特定の動画像コンテンツの配信指示が行われる。そして、この配信指示により、移動局１３Ａは予め特定されているルート或いは無作為に選んだルートを移動しながら配信されている動画像コンテンツ、即ち、衛星デジタル放送用のコンテンツの品質評価を行う。電子地図へのマッピング、統計・グラフにしての表示等は、上記説明したことと同様であるので詳細な説明は省略する。尚、衛星デジタル放送の場合には下り回線の測定のみを行うことになるから、固定局１１からの品質評価データ等のダウンロードはない。また、品質評価する動画像コンテンツは、現に配信されている衛星放送であってもよいことは勿論のことである。
【００４８】
このようにして、移動局１３Ａは、所定のルート、或いは無造作に決められたルートを移動しながら、固定局１１側、実際には委託放送事業者４１から配信している動画像コンテンツを受信しては、その品質評価をする。しかも、ルートは無造作に決めてもＧＰＳ２５による自己位置情報があるから、どの地点でどのような画像品質であるかが客観的に知ることができるのである。即ち、衛星デジタル放送が配信されている地域でどの地域の感度が良好で、どの地域の感度が良くないかが画面上で一目瞭然に解るのである。
【００４９】
次に、地上波デジタル放送を対象にした動画像コンテンツの品質評価について、図面を参照して説明する。
【００５０】
地上波デジタル放送を対象にした画像品質評価システムは、図８に示すように、デジタルコンテンツを配信する地上波デジタル放送基地局４６と、この地上波デジタル放送基地局４６とネットワーク１４を介して接続されている固定局１１と、所定の動画像コンテンツを提供することができるコンテンツプロバイダー１２と、地上波デジタル放送基地局４６から配信されているコンテンツを受信して、その動画像コンテンツの品質評価をする不特定地域を移動することできる移動局１３Ｂとからなる。
【００５１】
固定局１１は、上記図２を用いて説明した構成と同じであるため、その説明は省略するが、要は地上波デジタル放送として動画像コンテンツを配信することができるものである。これは、ネットワーク１４に接続して所望の動画像コンテンツを地上波デジタル放送基地局４６に送ることにより、基地局４６が配信し、その配信されている動画像コンテンツを移動局１３Ｂ側で受信する。
尚、固定局１１から特定の動画像コンテンツを供給しなくとも、現に地上波デジタル放送基地局４６から配信されている動画像コンテンツを移動局１３Ｂ側で受信するようにしてもよいことは勿論のことである。
【００５２】
移動局１３Ｂは、上記図７に示す構成と同様であり、ＴＶアンテナ４４及びＴＶ受信機４５が地上波デジタル放送を受信できるようにした点のみが相違し、その他の点は同じであるため、その説明は省略する。
【００５３】
このような構成において、先ず、移動局１３Ｂ側は、固定局１１側に移動しながら動画像コンテンツを受信して品質評価を開始することをネットワーク１４を介して固定局１１に知らせると、固定局１１側からチャンネルの特定や、特定の動画像コンテンツの配信指示する。そして、この配信指示により、移動局１３Ｂは予め特定されているルート或いは無作為に選んだルートを移動しながら配信されている動画像コンテンツ、即ち、地上波デジタル放送用のコンテンツの品質評価を行う。電子地図へのマッピング、統計・グラフにしての表示等は、上記説明したことと同様であるので詳細な説明は省略する。尚、地上波デジタル放送の場合には下り回線の測定のみを行うことになるから、固定局１１からの品質評価データ等のダウンロードはない。また、品質評価する動画像コンテンツは、現に配信されている地上波デジタル放送であってもよいことは勿論のことである。
【００５４】
このようにして、移動局１３Ｂは、所定のルート、或いは無造作に決められたルートを移動しながら、地上波デジタル放送として配信されている動画像コンテンツを受信しては、その品質評価をする。しかも、ルートは無造作に決めてもＧＰＳ２５による自己位置情報があるから、どの地点でどのような画像品質であるかが客観的に知ることができるのである。即ち、地上波デジタル放送がどの地域の感度が良好で、どの地域の感度が良くないかが画面上で一目瞭然に解るのである。
【００５５】
次に、ＣＡＴＶ（Ｃａｂｌｅ  Ｔｅｌｅｖｉｓｉｏｎ）を対象にした動画像コンテンツの品質評価について、図面を参照して説明する。尚、ＣＡＴＶは、有線の範囲に属するため、本発明のように自由なルートを移動しながらの測定には趣を異にするものであるが、ＣＡＴＶが各エンドユーザに引きこまれる配線において、ブルートゥースのような無線技術を使用したＦＷＡ（Ｆｉｘｅｄ  Ｗｉｒｅｓｓ  Ａｃｃｅｓｓ）の場合には、エンドユーザに引き込まれる地域が無線であるため、その品質評価をする必要性はある。
【００５６】
ＣＡＴＶを対象にした画像品質評価システムは、図９に示すように、コンテンツを光ケーブル４７を介して配信するＣＡＴＶ４８と、このＣＡＴＶ４８とネットワーク１４を介して接続されている固定局１１と、所定の動画像コンテンツを提供することができるコンテンツプロバイダー１２と、ＣＡＴＶ４８の端末のＦＷＡ４９から無線配信されているコンテンツを受信して、その動画像コンテンツの品質評価をする不特定地域を移動することできる移動局１３Ｃとからなる。
【００５７】
固定局１１は、上記図２を用いて説明した構成と同じであるため、その説明は省略するが、要はＣＡＴＶを介して動画像コンテンツを配信することができるものであり、ネットワーク１４に接続して所望の動画像コンテンツをＣＡＴＶ４８に送ることにより、光ケーブル４７を介して動画像コンテンツを移動局１３Ｃ側で受信できる。
尚、固定局１１から特定の動画像コンテンツを供給しなくとも、現にＣＡＴＶ４８から配給されている動画像コンテンツを移動局１３Ｃ側で受信するようにしてもよいことは勿論のことである。
【００５８】
移動局１３Ｃは、図１０に示すように、自己の位置情報を検出するＧＰＳ２５と、ＣＡＴＶ４８で配信されている動画像コンテンツをＦＷＡ４９を介して受信することができる送受信部５０と、この送受信部５０に接続されているＣＡＴＶアダプター５１と、このＣＡＴＶアダプター５１で受信した動画像コンテンツの通信を司る通信部２８と、動画像コンテンツをデコードするＭＰＥＧ４・デコーダー部２９と、デコードした動画像コンテンツのデータ処理をするデータ処理部３０と、統計やグラフイック等のグラフ表示するためのデータを作成する統計・グラフイック表示処理部３１と、地図を画面上に表示する電子地図部３２と、電子地図上に品質評価のデータをマッピングするマッピング処理部３３と、動画像コンテンツの品質を評価する品質評価処理部３４とからなる。
【００５９】
ＭＰＥＧ４・デコーダー部２９は、動画像コンテンツを配信する映像配信処理部３５と、受信した動画像コンテンツを再生する映像再生処理部３６と、受信した動画像コンテンツを記録する受信画像記録処理部３７とからなる。
【００６０】
このような構成のＣＡＴＶ用の品質評価をする移動局１３Ｃは、ＦＷＡ４９が張り巡らされている地域を移動するように設定する。そして、固定局１１側に移動しながら動画像コンテンツを受信して品質評価を開始することをネットワーク１４を介して固定局１１に知らせると、固定局１１側からＣＡＴＶに対してチャンネルの特定や、特定の動画像コンテンツの配信指示する。そして、この配信指示により、移動局１３Ｃは予め特定されているルート或いは無作為に選んだルートを移動しながら配信されている動画像コンテンツ、即ち、ＣＡＴＶ４８のＦＷＡ４９からの動画像コンテンツの品質評価を行う。電子地図へのマッピング、統計・グラフにしての表示等は、上記説明したことと同様であるので詳細な説明は省略する。尚、ＣＡＴＶの場合には送受信部５０とＦＷＡ４９間において上下回線の測定を行うようにしても良く、その場合には、図１を参照して説明した携帯電話機と同様に、固定局側で所望のコンテンツを受け取り、その品質評価結果をネットワーク４８を介して移動局１３側に送るようにする。
【００６１】
このようにして、移動局１３Ｃは、所定のルート、或いは無造作に決められたルートを移動しながら、固定局１１側、実際にはＣＡＴＶ４８から配信している動画像コンテンツを受信しては、その品質評価をする。しかも、ルートは無造作に決めてもＧＰＳ２５による自己位置情報があるから、どの地点でどのような画像品質であるかが客観的に知ることができるのである。即ち、ＣＡＴＶが提供できる地域において、どの地域の感度が良好で、どの地域の感度が良くないかが画面上で一目瞭然に解るのである。
【００６２】
尚、ＣＡＴＶは、光ファイバー網によるＦＴＴＨでもよく、その構成は変わらない。
【００６３】
【発明の効果】
上記説明したように、本発明に係る画像品質評価方法及び画像品質評価システム、画像品質評価装置は、自己位置情報及び画像コンテンツを受信すること及び測定する手段を備えた移動局である携帯電話機と、画像コンテンツを配信及び受信する固定局とから構成し、双方向の動画像コンテンツをルートを移動しながら品質評価が出せるため、携帯電話機の受信状態又は送信状態を地域の地点毎に測定することができ、携帯電話機の使い勝手に則した状態での測定ができるという効果がある。
【図面の簡単な説明】
【図１】本発明に係る携帯電話網による画像品質評価システムを略示的に示した全体図である。
【図２】同固定局の構成図である。
【図３】同移動局の構成図である。
【図４】移動局が固定局に接続する接続フローを略示的に示した説明図である。
【図５】移動局における測定処理を示すフローチャートである。
【図６】衛星デジタル放送による動画像コンテンツの品質評価システムの全体構成図である。
【図７】同衛星デジタル放送用移動局を略示的に示した構成図である。
【図８】地上波デジタル放送による動画像コンテンツの品質評価システムの全体構成図である。
【図９】ＣＡＴＶによる動画像コンテンツの品質評価システムの全体構成図である。
【図１０】同ＣＡＴＶ用移動局を略示的に示した構成図である。
【符号の説明】
１１；固定局、１２；コンテンツプロバイダー、１３；移動局、１３Ａ；移動局、１３Ｂ；移動局、１３Ｃ；移動局、１４；（ＩＰ）ネットワーク、１５；携帯電話基地局、１６５；携帯電話機、１７；通信処理部、１８；ＭＰＥＧ４デコーダー部、１９；データ処理部、２０；品質評価処理部、２１；映像配信処理部、２２；映像再生処理部、２３；受信画像記録処理部、２５；ＧＰＳ、２６；送信用携帯電話機、２７；受信用携帯電話機、２８；通信部、２９；ＭＰＥＧ４・デコーダー部、３０；データ処理部、３１；統計・グラフィック表示処理部、３２；電子地図部、３３；マッピング処理部、３４；品質評価処理部、４１；委託放送事業者、４２；衛星、４３；受託放送事業者、４４；ＴＶアンテナ、４５；ＴＶ受信機、４６；地上波デジタル放送基地局、４８；ＣＡＴＶ、４９；ＦＷＡ、５０；送受信部、５１；ＣＡＴＶアダプター。
【図１】
0003894766.tif 000002
【図２】
0003894766.tif 000003
【図３】
0003894766.tif 000004
【図４】
0003894766.tif 000005
【図５】
0003894766.tif 000006
【図６】
0003894766.tif 000007
【図７】
0003894766.tif 000008
【図８】
0003894766.tif 000009
【図９】
0003894766.tif 000010
【図１０】
0003894766.tif 000011